(57)【要約】【課題】基板（ミッドプレーン）の厚さが薄く、しかも、シールド効果を向上できる基板搭載用コネクタのグラウンド構造を提供する。【解決手段】コネクタの一半部１ａと他半部は、それぞれ基板の表面と裏面に搭載される。両部は、それぞれハウジング１ａ１と、ハウジングに保持される複数枚の第１のグラウンドプレート１ａ２と、ハウジングに保持され、かつ、各第１のグラウンドプレートに格子状に交差する複数枚の第２のグラウンドプレート１ａ３とを有する。各グラウンドプレートに形成された複数個の端子部１ａ２ｂ，１ａ３ｂは、基板に形成された複数個のスルーホールにそれぞれ千鳥状にプレスフィットされる。両部にわたって配設される複数本の信号用コンタクトは、基板に形成された複数個のスルーホールにそれぞれ挿通され、かつ、各信号用コンタクトの少なくとも一部は、各グラウンドプレートによって包囲される。【選択図】      図２
2004241176.tif 000002
【特許請求の範囲】
【請求項１】
コネクタの一半部は基板の表面に搭載され、前記コネクタの他半部は前記基板の裏面に搭載され、前記一半部は第１の相手コネクタに対して嵌合離脱することができ、前記他半部は第２の相手コネクタに対して嵌合離脱することができ、
前記一半部及び前記他半部は、それぞれハウジングと、前記ハウジングに保持される複数枚の第１のグラウンドプレートと、前記ハウジングに保持され、かつ、前記各第１のグラウンドプレートに格子状に交差する複数枚の第２のグラウンドプレートとを有し、
前記各グラウンドプレートに形成された複数個の端子部は、前記基板に形成された複数個のスルーホールにそれぞれ千鳥状にプレスフィットされ、
前記一半部から前記他半部までにわたって配設される複数本の信号用コンタクトは、前記基板に形成された複数個のスルーホールに挿通され、かつ、前記各信号用コンタクトの少なくとも一部は、前記各グラウンドプレートによって包囲されることを特徴とする基板搭載用コネクタのグラウンド構造。
【請求項２】
前記一半部及び前記他半部の前記各端子部の先端若しくは前記各グラウンドプレートに複数のばね部が形成され、前記一半部又は前記他半部の一方の前記各ばね部が他方の前記各グラウンドプレート若しくは前記各端子部の先端に接触することを特徴とする請求項１記載の基板搭載用コネクタのグラウンド構造。
【請求項３】
前記一半部及び前記他半部の前記各グラウンドプレートに複数の凹部が形成され、前記一半部又は前記他半部の一方の前記各端子部の先端は、他方の前記各凹部に進入することを特徴とする請求項１記載の基板搭載用コネクタのグラウンド構造。
【発明の詳細な説明】
【０００１】
【発明の属する技術分野】
本発明は、基板に搭載されるコネクタのグラウンド構造に関する。
【０００２】
【従来の技術】
従来の基板搭載用コネクタについて説明する（例えば、特許文献１参照。）。
【０００３】
コネクタは、図９と図１０に示されるように、コネクタの一半部３１と、コネクタの一半部３１に接続するコネクタの他半部４１と、コネクタの一半部３１が一面５１ａに搭載され、かつ、コネクタの他半部４１が一面５１ａに対して平行な他面５１ｂに搭載される基板５１とから構成される。
【０００４】
コネクタの一半部３１は、多数本の信号コンタクト３２と、行列方向（横方向と縦方向）に配置される各信号コンタクト３２を保持するインシュレータ３３と、各信号コンタクト３２の列間に配置されて各信号コンタクト３２の列間をシールドするようにインシュレータ３３に保持される数枚のグラウンドプレート３４とから構成される。
【０００５】
コネクタの他半部４１は、インシュレータ４３と、各信号コンタクト３２の列間でシールドするようにインシュレータ４３に保持される数枚のグラウンドプレート４４とから構成される。
【０００６】
コネクタの一半部３１には、第１の相手コネクタ（図示せず）が接続される。第１の相手コネクタは、多数本の信号コンタクトと、数個のグラウンド部材とを有する。
【０００７】
コネクタの他半部４１には、第２の相手コネクタ（図示せず）が接続される。第２の相手コネクタは、多数本の信号コンタクトと、数個のグラウンド部材とを有する。
【０００８】
各信号コンタクト３２は、第１の相手コネクタの各信号コンタクトに接続する接触部３２ａと、第２の相手コネクタの各信号コンタクトに接続するように、基板５１の一面５１ａに対向してインシュレータ３３の一面上へ延びる挿入接触部３２ｂとを有する。
【０００９】
各グラウンドプレート３４は、各接触部３２ａの列間に位置して第１の相手コネクタの各グラウンド部材に接続するプレート部３４ａと、基板５１の一面５１ａに対向するように、インシュレータ３３の一面上へ延びるグラウンド端子部３４ｂとを有する。
【００１０】
各グラウンドプレート４４は、第２の相手コネクタの各グラウンド部材に接続するプレート部４４ａと、基板５１の他面５１ｂに対向するインシュレータ４３の一面上へ延びるグラウンド端子部４４ｂとを有する。
【００１１】
基板５１は、コネクタの一半部３１を基板５１の一面５１ａに搭載した際に、各挿入接触部３２ｂが挿通可能な、かつ、各グラウンド端子部３４ｂ，４４ｂを受け入れる多数のスルーホール５３を有する。各グラウンド端子部３４ｂ，４４ｂは、各スルーホール５３で位置決めされて相互に突合わせ接続される。
【００１２】
各挿入接触部３２ｂは、コネクタの一半部３１が基板５１の一面５１ａに搭載された際に、基板５１の各スルーホール５３を通過し、コネクタの他半部４１のインシュレータ４３の一面に形成されている各挿入孔４３ａを通過する。
【００１３】
各グラウンドプレート３４から各グラウンドプレート４４へグラウンド接続のリターン（帰還）電流が流れる。
【００１４】
【特許文献１】
特開２００２−３３１６２号公報（第３頁第４欄第２行−第４頁第５欄第２６行、図１，２）
【００１５】
【発明が解決しようとする課題】
前記従来の基板搭載用コネクタでは、コネクタの一半部３１の各グラウンドプレート３４の各グラウンド端子部３４ｂと、他半部４１の各グラウンドプレート４４の各グラウンド端子部４４ｂとが、基板５１の各スルーホール５３内で突き合わされて接触している。したがって、基板５１が厚くならざるを得ず、また、シールド効果が十分に発揮されない。
【００１６】
そこで、本発明は、前記従来の基本搭載用コネクタの欠点を改良し、基板（ミッドプレーン）の厚さが薄く、しかも、シールド効果を向上することができる基板搭載用コネクタのグラウンド構造を提供しようとするものである。
【００１７】
【課題を解決するための手段】
本発明は、前記課題を解決するため、次の手段を採用する。
【００１８】
１．コネクタの一半部は基板の表面に搭載され、前記コネクタの他半部は前記基板の裏面に搭載され、前記一半部は第１の相手コネクタに対して嵌合離脱することができ、前記他半部は第２の相手コネクタに対して嵌合離脱することができ、前記一半部及び前記他半部は、それぞれハウジングと、前記ハウジングに保持される複数枚の第１のグラウンドプレートと、前記ハウジングに保持され、かつ、前記各第１のグラウンドプレートに格子状に交差する複数枚の第２のグラウンドプレートとを有し、前記各グラウンドプレートに形成された複数個の端子部は、前記基板に形成された複数個のスルーホールにそれぞれ千鳥状にプレスフィットされ、前記一半部から前記他半部までにわたって配設される複数本の信号用コンタクトは、前記基板に形成された複数個のスルーホールに挿通され、かつ、前記各信号用コンタクトの少なくとも一部は、前記各グラウンドプレートによって包囲される基板搭載用コネクタのグラウンド構造。
【００１９】
２．前記一半部及び前記他半部の前記各端子部の先端若しくは前記各グラウンドプレートに複数のばね部が形成され、前記一半部又は前記他半部の一方の前記各ばね部が他方の前記各グラウンドプレート若しくは前記各端子部の先端に接触する前記１記載の基板搭載用コネクタのグラウンド構造。
【００２０】
３．前記一半部及び前記他半部の前記各グラウンドプレートに複数の凹部が形成され、前記一半部又は前記他半部の一方の前記各端子部の先端は、他方の前記各凹部に進入する前記１記載の基板搭載用コネクタのグラウンド構造。
【００２１】
【発明の実施の形態】
本発明の５つの実施の形態例の基板搭載用コネクタのグラウンド構造について説明する。
【００２２】
まず、本発明の第１実施の形態例について図１〜図３と図８を参照して説明する。
【００２３】
図１に示されるように、レセプタクルコネクタ１は、一半部１ａと他半部１ｂとから構成され、一半部１ａは、基板（ミッドプレーン）１１の表面側に搭載され、他半部１ｂは、基板１１の裏面側に搭載される。
【００２４】
第１のプラグコネクタ２１は、水平方向に配設された基板２２に搭載されて、レセプタクルコネクタ１の一半部１ａに対して嵌合離脱することができる。また、第２のプラグコネクタ２６は、垂直方向に配設された基板２７に搭載されて、レセプタクルコネクタ１の他半部１ｂに対して嵌合離脱することができる。
【００２５】
図２に示されるように、レセプタクルコネクタ１の一半部１ａ（他半部１ｂも同様である。）は、長方形枠状のハウジング１ａ１、ハウジング１ａ１に縦方向に配設保持された数枚の第１のグラウンドプレート１ａ２、及びハウジング１ａ１に横方向に配設保持された数枚の第２のグラウンドプレート１ａ３を有する。
各第１のグラウンドプレート１ａ２と各第２のグラウンドプレート１ａ３とは、縦横方向に格子状に交差する。
【００２６】
各第１のグラウンドプレート１ａ２は、略長方形状のプレート部１ａ２ａと、プレート部１ａ２ａの一長辺側から突出して形成された数個の端子部１ａ２ｂと、プレート部１ａ２ａの他長辺に形成された数個の溝１ａ２ｃとから構成される。
【００２７】
各第２のグラウンドプレート１ａ３は、略長方形状のプレート部１ａ３ａと、プレート部１ａ３ａの一長辺側から突出して形成された数個の端子部１ａ３ｂと、各端子部１ａ３ｂの間及び左右両端の端子部１ａ３ｂの付近に形成された数個の溝１ａ３ｃとから構成される。
【００２８】
各第１のグラウンドプレート１ａ２の各溝１ａ２ｃを各第２のグラウンドプレート１ａ３の各溝１ａ３ｃに挿入することによって、各第１のグラウンドプレート１ａ２と各第２のグラウンドプレート１ａ３とは、縦横方向に格子状に交差するように組み立てられる。
【００２９】
図８（模式図のため、スルーホールの個数は正確でない。）に示されるように、基板１１には、一半部１ａの各第１のグラウンドプレート１ａ２の数個の端子部１ａ２ｂがプレスフィットされる各スルーホール（斜線が引かれた円の一部）１１ａと、各第２のグラウンドプレート１ａ３の数個の端子部１ａ３ｂがプレスフィットされる各スルーホール（斜線が引かれた円の残部）１１ｂとが、千鳥状に形状される。また、他半部１ｂの各端子部（図示せず）がプレスフィットされる各スルーホール（黒塗の円）１１ｃも、前述した各スルーホール１１ａ，１１ｂと同様に千鳥状に形成される。更に、レセプタクルコネクタ１の一半部１ａから他半部１ｂまでにわたって配設される数十本の信号用コンタクト１ｃは、基板１１に形成された各スルーホール（白い円）１１ｄに挿通される。
【００３０】
本発明の第１実施の形態例では、一半部１ａの各第１のグラウンドプレート１ａ２及び各第２のグラウンドプレート１ａ３と、他半部１ｂの各第１のグラウンドプレート（図示せず）及び各第２のグラウンドプレート（図示せず）とは、接触しない。接触する構造については、第２乃至第５実施の各形態例で後述する。
【００３１】
次に、本発明の第２実施の形態例について図４を参照して説明する。
【００３２】
各第１のグラウンドプレート１ａ２の各端子部１ａ２ｂの先端にフック形のばね部１ａ２ｂ１を形成する。すると、各端子部１ａ２ｂは、基板１１の各スルーホール１１ａにプレスフィットされたとき、ばね部１ａ２ｂ１が弾性変形できるため、他半部１ｂの各第１のグラウンドプレートに圧接する。したがって、シールド効果は、向上する。
【００３３】
続いて、本発明の第３実施の形態例について図５を参照して説明する。
【００３４】
各第１のグラウンドプレート１ａ２のプレート部１ａ２ａにおいて、各端子部１ａ２ｂの根元の箇所の反対側にへこみ１ａ２ａ１を形成する。すると、他半部１ｂの各第１のグラウンドプレートの各端子部の先端は、深さＬのへこみ１ａ２ａ１に進入できるため、基板１１を寸法２Ｌだけ薄く構成することができる。
【００３５】
更に、本発明の第４実施の形態例について図６を参照して説明する。
【００３６】
各第１のグラウンドプレート１ａ２のプレート部１ａ２ａにおいて、各端子部１ａ２ａの根元の箇所の反対側に斜面を有するへこみ１ａ２ａ２とばね部１ａ２ａ３を形成する。すると、基板１１の厚さが薄くなるのみならず、他半部１ｂの各第１のグラウンドプレートの各端子部の先端は、へこみ１ａ２ａ２の斜面にガイドされ、また、ばね部１ａ２ａ３に圧接するため、シールド効果が向上する。
【００３７】
更に、本発明の第５実施の形態例について図７を参照して説明する。
【００３８】
各第１のグラウンドプレート１ａ２のプレート部１ａ２ａにおいて、各端子部１ａ２ｂの根元の箇所の反対側にスリット１ａ２ａ４を形成する。スリット１ａ２ａ４の入口は、内部よりも狭く形成されている。すると、基板１１の厚さが薄くなるのみならず、他半部１ｂの各第１のグラウンドプレートの各端子部の先端は、スリット１ａ２ａ４に圧接して挿入されるため、シールド効果が向上する。
【００３９】
本発明においては、各信号用コンタクト１ｃは、通常、１本毎に上下左右の４面を一半部１ａの各第１のグラウンドプレート１ａ２及び各第２のグラウンドプレート１ａ３と他半部１ｂの各第１のグラウンドプレート及び各第２のグラウンドプレートによって包囲される。差動信号を伝送する場合には、隣接する２本の信号用コンタクト１ｃ毎に包囲される。
【００４０】
また、本発明の各実施の形態例においては、各第１のグラウンドプレート１ａ２及び各第２のグラウンドプレート１ａ３を例として説明したが、コネクタのグラウンド構造に関しては、他の全てのグラウンドプレートも同様である。
【００４１】
【発明の効果】
以上の説明から明らかなように、本発明によれば、次の効果が、奏される。
【００４２】
１．コネクタの一半部及び他半部がそれぞれ有する複数枚の第１及び第２の各グラウンドプレートに形成された複数個の端子部は、基板に形成された複数個のスルーホールにそれぞれ千鳥状にプレスフィットされるので、基板を薄く構成することができる。
【００４３】
２．コネクタの一半部又は他半部の一方の各端子部の先端若しくは各グラウンドプレートに形成された各ばね部が、他方の各グラウンドプレート若しくは各端子部の先端に接触するので、シールド効果が向上する。
【００４４】
３．コネクタの一半部又は他半部の一方の各端子部の先端は、他方の各グラウンドプレートに形成された各凹部に進入するので、基板を更に薄く構成することができる。
【図面の簡単な説明】
【図１】本発明の第１実施の形態例に係るレセプタクルコネクタ、第１のプラグコネクタ及び第２のプラグコネクタの嵌合前の斜視図である。
【図２】同レセプタクルコネクタの一半部の斜視図である。
【図３】同レセプタクルコネクタにおける２枚のグラウンドプレートの正面図であり、（Ａ）は第１のグラウンドプレート、（Ｂ）は第２のグラウンドプレートを、それぞれ示す。
【図４】本発明の第２実施の形態例に係る第１のグラウンドプレートにおける端子部の正面図である。
【図５】本発明の第３実施の形態例に係る第１のグラウンドプレートの要部の正面図である。
【図６】本発明の第４実施の形態例に係る第１のグラウンドプレートの要部の正面図である。
【図７】本発明の第５実施の形態例に係る第１のグラウンドプレートの要部の正面図である。
【図８】本発明の第１実施の形態例に係る多数のスルーホールが形成された基板（ミッドプレーン）の正面図である。
【図９】従来の基板搭載用コネクタの基板に搭載する前の斜視図である。
【図１０】同基板に搭載された同基板搭載用コネクタの断面図である。
【符号の説明】
１    レセプタクルコネクタ
１ａ    一半部
１ａ１    ハウジング
１ａ２    第１のグラウンドプレート
１ａ２ａ    プレート部
１ａ２ａ１    へこみ
１ａ２ａ２    へこみ
１ａ２ａ３    ばね部
１ａ２ａ４    スリット
１ａ２ｂ    端子部
１ａ２ｂ１    ばね部
１ａ２ｃ    溝
１ａ３    第２のグラウンドプレート
１ａ３ａ    プレート部
１ａ３ｂ    端子部
１ａ３ｃ    溝
１ｂ    他半部
１ｂ１    ハウジング
１ｃ    信号用コンタクト
１１    基板（ミッドプレーン）
１１ａ    スルーホール
１１ｂ    スルーホール
１１ｃ    スルーホール
１１ｄ    スルーホール
２１    第１のプラグコネクタ
２２    基板
２６    第２のプラグコネクタ
２７    基板
【図１】
2004241176.tif 000003
【図２】
2004241176.tif 000004
【図３】
2004241176.tif 000005
【図４】
2004241176.tif 000006
【図５】
2004241176.tif 000007
【図６】
2004241176.tif 000008
【図７】
2004241176.tif 000009
【図８】
2004241176.tif 000010
【図９】
2004241176.tif 000011
【図１０】
2004241176.tif 000012